(57)【要約】【課題】抗菌特性を示すケーブルタイを提供すること。【解決手段】抗菌成分及び場合によって検出可能成分を含むケーブルタイを開示する。より詳しくは、ベースのプラスチック、抗菌添加剤、並びに場合によって検出可能金属添加剤、Ｘ線検出可能添加剤及びそれらの組合せから選択される検出可能添加剤を有する組成物を含むケーブルタイ、並びにその製造方法を開示する。また、抗菌金属バーブと、ベースのプラスチック並びに場合によって抗菌添加剤及び／又は検出可能金属添加剤、Ｘ線検出可能添加剤及びそれらの組合せから選択される検出可能添加剤を有する組成物とを含むケーブルタイを開示する。【選択図】図１
2016088625.tif 000002
【特許請求の範囲】
【請求項１】
ベースのプラスチック及び抗菌添加剤を含む組成物を含む、ケーブルタイ。
【請求項２】
前記ベースのプラスチックが、ポリアミド、ポリプロピレン、ポリカーボネート、ポリ（エチレンテトラフルオロエチレン）、ポリエーテルエーテルケトン、ポリ（エチレン及びクロロトリフルオロエチレン）、ポリ塩化ビニル、又はそれらの２つ以上の組合せである、請求項１に記載のケーブルタイ。
【請求項３】
前記ベースのプラスチックが、ポリプロピレンである、請求項１に記載のケーブルタイ。
【請求項４】
前記ベースのプラスチックが、ポリアミドである、請求項１に記載のケーブルタイ。
【請求項５】
前記抗菌添加剤が、銀イオン錯体、銅イオン錯体、ポリクロロフェノキシフェノール誘導体、第四級アンモニウム化合物、亜鉛ピリチオン誘導体、及びそれらの２つ以上の組合せからなる群から選択される、請求項１に記載のケーブルタイ。
【請求項６】
前記抗菌添加剤が、約０．２ｐｈｒから約５ｐｈｒの間の量である、請求項１に記載のケーブルタイ。
【請求項７】
前記抗菌添加剤が、銀ナトリウム水素リン酸ジルコニウムである、請求項１に記載のケーブルタイ。
【請求項８】
前記組成物が、検出可能金属添加剤、Ｘ線検出可能添加剤及びそれらの組合せから選択される検出可能添加剤をさらに含む、請求項１に記載のケーブルタイ。
【請求項９】
金属バーブをさらに含む、請求項１に記載のケーブルタイ。
【請求項１０】
前記金属バーブが、抗菌金属バーブである、請求項９に記載のケーブルタイ。
【請求項１１】
前記抗菌金属バーブが、約６２％から約９９．９９％の間の量の銅をその中に有する銅合金を含む、請求項１０に記載のケーブルタイ。
【請求項１２】
前記抗菌金属バーブが、Ｃ２８０００である、請求項１０に記載のケーブルタイ。
【請求項１３】
抗菌金属バーブと、ベースのプラスチックを含む組成物とを含む、ケーブルタイ。
【請求項１４】
前記抗菌金属バーブが、約６２％から約９９．９９％の間の量の銅をその中に有する銅合金を含む、請求項１３に記載のケーブルタイ。
【請求項１５】
前記組成物が、検出可能金属添加剤、Ｘ線検出可能添加剤及びそれらの組合せから選択される検出可能添加剤をさらに含む、請求項１３に記載のケーブルタイ。
【請求項１６】
ベースのプラスチック及び抗菌添加剤を含む成分を混合して混合物を形成する工程；
前記ベースのプラスチックの融点より約１から約３０℃高い温度で前記混合物を溶融して、溶融材料を形成する工程；及び
前記溶融材料からケーブルタイを成形する工程
を含む、ケーブルタイを調製する方法。
【請求項１７】
前記ベースのプラスチックが、ポリアミド、ポリプロピレン、ポリカーボネート、ポリ（エチレンテトラフルオロエチレン）、ポリエーテルエーテルケトン、ポリ（エチレン及びクロロトリフルオロエチレン）、ポリ塩化ビニル、又はそれらの２つ以上の組合せである、請求項１６に記載の方法。
【請求項１８】
前記抗菌添加剤が、銀イオン錯体、銅イオン錯体、ポリクロロフェノキシフェノール誘導体、第四級アンモニウム化合物、亜鉛ピリチオン誘導体、及びそれらの２つ以上の組合せからなる群から選択される、請求項１６に記載の方法。
【請求項１９】
前記抗菌添加剤が、約０．２ｐｈｒから約５ｐｈｒの間の量である、請求項１６に記載の方法。
【請求項２０】
前記成分が、検出可能金属添加剤、Ｘ線検出可能添加剤及びそれらの組合せから選択される検出可能添加剤をさらに含む、請求項１６に記載の方法。
【発明の詳細な説明】
【技術分野】
【０００１】
本発明は、抗菌成分及び場合によって検出可能成分を含む、ケーブルタイに関する。より詳しくは、本発明は、ベースのプラスチック（例えば、ポリアミド又はポリプロピレン）、抗菌添加剤、並びに場合によって検出可能金属添加剤、Ｘ線検出可能添加剤及びそれらの組合せから選択される検出可能添加剤を有する組成物を含むケーブルタイ、並びにその製造方法に関する。本発明はまた、抗菌金属バーブ（ｂａｒｂ）と、ベースのプラスチック並びに場合によって抗菌添加剤並びに／又は検出可能金属添加剤、Ｘ線検出可能添加剤及びそれらの組合せから選択される検出可能添加剤を有する組成物とを含むケーブルタイに関する。
【背景技術】
【０００２】
ケーブルタイはよく知られており、電線又はケーブルなどの物品の群を束ねる又は固定するために使用することができる。典型的には、ケーブルタイは、ヘッド、細長いテール及びそれらの間の縦長のストラップを含む。ケーブルタイのヘッドは、ストラップとかみ合って、ヘッドにおいてストラップを固定するロック部材を含む。
【０００３】
一般的に、２つの種類のケーブルタイが存在する。第１はワンピース（ｏｎｅ−ｐｉｅｃｅ）のケーブルタイである。ワンピースのタイは、プラスチック材料、好ましくはポリアミドで一体的に形成され、ヘッド内部の成形ポウル（ｐａｗｌ）及びストラップ体において形成された歯列（ｔｅｅｔｈ  ａｒｒａｙ）を使用して、テールにおいてストラップを固定する。第２はツーピース（ｔｗｏ−ｐｉｅｃｅ）のケーブルタイである。ツーピースのタイは、ポリアミドのヘッド及びストラップ体を有する。金属（例えばステンレス鋼）バーブをストラップ中に突き立てたヘッドに埋め込んで、本体にストラップを固定する。
【０００４】
既存のプラスチックのケーブルタイは、通常の大気条件下でその表面上に細菌及び／又は真菌が成長することができる。これは、ケーブルタイが締め具として広く使用されている多くの用途において好ましくない。例えば、食品加工施設の典型的な高湿及び温暖な環境において、細菌はケーブルタイの表面上で成長することができ、望ましくない染み及び臭気が経時で生じる。このプロセスの間に食品成分を導入すると、影響を受けたプラスチックのケーブルタイが検出され、食品又は食品成分との接触から分離される前に、このような影響を受けたケーブルタイが食品成分に細菌及び／又は真菌の汚染を導入し得る。同様に、手術室などの病院環境は、ハーネスの目的でケーブルタイを使用する様々な医療器具を典型的には含む。望ましくなく様々な種類の細菌及び／又は真菌が、感染した個人からの直接接触及び／又は空気を介するなどの曝露によってケーブルタイの表面に導入され得、他の個人（例えば患者又は介護士）に感染する。
【先行技術文献】
【特許文献】
【０００５】
【特許文献１】米国特許第５５１３４２１号
【特許文献２】米国特許第７０１７２３７号
【発明の概要】
【発明が解決しようとする課題】
【０００６】
したがって、抗菌特性を示すケーブルタイへの要求が存在する。
【課題を解決するための手段】
【０００７】
本発明は、抗菌成分を含むケーブルタイを提供し、これによりケーブルタイは抗菌特性を示す。特に、本発明は、ベースのプラスチック及び抗菌添加剤を有する組成物を含むケーブルタイを提供する。
【０００８】
本発明は、抗菌金属バーブと、ベースのプラスチックを含む組成物とを含むケーブルタイをさらに提供する。
【０００９】
本発明はまた、ベースのプラスチックと抗菌添加剤とを含む成分を混合して、混合物を形成する工程；ベースのプラスチックの融点より約１から約３０℃高い温度で混合物を溶融して、溶融材料を形成する工程；及び溶融材料からケーブルタイを成形する工程を含む、ケーブルタイを調製する方法を提供する。
【００１０】
有利には、このようなケーブルタイは、微生物（例えば、細菌及び／又は真菌）によって引き起こされる表面の染み及び臭気からの保護を提供する。さらに、このようなケーブルタイは、例えば食品加工環境においてケーブルタイが食品又は食品成分と接触する場合、又は病院環境においてケーブルタイが患者に曝露する場合、微生物（例えば、細菌及び／又は真菌）の汚染の可能性を低減する。
【００１１】
さらに、ケーブルタイがＸ線検出能及び／又は金属検出能を提供する検出可能成分を含む特定の実施形態において、その検出は望ましく向上する。
【図面の簡単な説明】
【００１２】
【図１】ケーブルタイのヘッド及び延長ストラップを有し、ストラップがヘッド内に挿入された、本発明の例示的なケーブルタイを断面で示す。
【発明を実施するための形態】
【００１３】
本明細書で使用される場合、以下の用語は、以下に記載する定義を有する。
【００１４】
本明細書で使用される場合、用語「抗菌成分」は、抗菌添加剤（ケーブルタイの組成物に含まれる）、抗菌金属バーブ（ツーピースのケーブルタイに含まれる）及びそれらの組合せから選択される成分を表す。
【００１５】
本明細書で使用される場合、用語「検出可能成分」は、ｉ）検出可能金属添加剤、Ｘ線検出可能添加剤及びそれらの組合せ（ケーブルタイの組成物に含まれる）から選択される検出可能添加剤、ｉｉ）金属バーブ（ツーピースのケーブルタイに含まれる）及びｉｉｉ）それらの組合せから選択される成分を表す。
【００１６】
本明細書で使用される場合、用語「抗菌金属バーブ」は、抗菌金属バーブ材料を含むツーピースのケーブルタイにおいて使用するために好適な金属バーブを表す。
【００１７】
図１を参照すると、本発明のケーブルタイ１０が示される。ケーブルタイ１０は、典型的には細長い成形したプラスチック部品であり、これは当分野においてよく知られている方法で、物品の束の周りに巻き付けるために使用される。
【００１８】
一実施形態において、ケーブルタイ１０は、ベースのプラスチック、抗菌添加剤、並びに場合によって検出可能金属添加剤、Ｘ線検出可能添加剤及びそれらの組合せから選択される検出可能添加剤を含む組成物を含み、特定の実施形態において、食品及び食品等級材料での使用に好適である。ケーブルタイ１０は、その一端にヘッド１２、ヘッド１２の他の端にテール１６、及び一般的にその間に平面ストラップ１４を有する。例示的な実施形態において、ヘッド１２は、ケーブルタイ１０の一体部分として形成される。しかしながら、特定の用途において、ケーブルタイ１０は、ヘッド１２をストラップ１４から分離して形成する方法で構成されてもよい。
【００１９】
ケーブルタイ１０のヘッド１２は、テール１６を内部に収容するための開口部１５（ストラップ１４とともに示す）、及び第１の方向「Ａ」へのストラップ１４の通路を含む。ケーブルタイ１０のヘッド１２は、ヘッド１２によって支持され、開口部に拡張するロック装置１８を含む。ロック装置は第１の方向「Ａ」にストラップ１４を動かせるようにし、開口部からストラップ１４を引き出そうとする第１の方向と反対の第２の方向「Ｂ」へのストラップ１４の実質的な動きを阻害する。ロック装置は、米国特許第５５１３４２１号などに示す金属バーブ又は米国特許第７０１７２３７号などに示す一体的に形成されたプラスチックのポウルを含む。
【００２０】
別の実施形態において、ケーブルタイ１０は、抗菌金属バーブと、ベースのプラスチック並びに場合によって抗菌添加剤及び／又は検出可能金属添加剤、Ｘ線検出可能添加剤及びそれらの組合せから選択される検出可能添加剤を含む組成物とを含み、特定の実施形態において、食品及び食品等級材料での使用に好適である。
【００２１】
好適なベースのプラスチックには、これらに限定されないが、ポリアミド（例えばナイロン）、ポリプロピレン、ポリカーボネート、ポリ（エチレンテトラフルオロエチレン）、ポリエーテルエーテルケトン、ポリ（エチレン及びクロロトリフルオロエチレン）、ポリ塩化ビニル、及びそれらの２つ以上の組合せが含まれる。ベースのプラスチックは、約９０から約１１０ｐｈｒの間の量である。一実施形態において、ベースのプラスチックはポリプロピレンである。一実施形態において、ベースのプラスチックはポリアミドである。一実施形態において、ベースのプラスチックはポリアミド６（すなわちナイロン６）である。一実施形態において、ベースのプラスチックはポリアミド６，６（すなわちナイロン６，６）である。一実施形態において、ベースのプラスチックは約９０〜１００ｐｈｒの間の量のポリアミド６，６である。一実施形態において、ポリアミド６，６は約１００ｐｈｒの量である。一実施形態において、約１００ｐｈｒの量のポリアミド６，６は、加工助剤が組み込まれた中間衝撃改良化合物である。一実施形態において、約１００ｐｈｒの量のポリアミド６，６は、加工助剤が組み込まれた無充填の樹脂である。
【００２２】
好適な抗菌添加剤には、これらに限定されないが、銀イオン錯体、銅イオン錯体、ポリクロロフェノキシフェノール誘導体、第四級アンモニウム化合物、亜鉛ピリチオン誘導体、及びそれらの２つ以上の組合せが含まれる。一実施形態において、抗菌添加剤は、約０．０１ｐｈｒから約１５ｐｈｒの間、好ましくは約０．０５ｐｈｒから約１０ｐｈｒの間、より好ましくは約０．１ｐｈｒから約７．５ｐｈｒの間、最も好ましくは約０．２ｐｈｒから約５ｐｈｒの間の量である。いくつかの実施形態において、抗菌添加剤は、約１ｐｈｒ又は約２ｐｈｒ又は約１ｐｈｒから約２ｐｈｒの間の量である。一実施形態において、抗菌添加剤は銀ナトリウム水素リン酸ジルコニウムである。一実施形態において、抗菌添加剤は約０．２ｐｈｒから約５ｐｈｒの間の量の銀ナトリウム水素リン酸ジルコニウムである。一実施形態において、抗菌添加剤は約１ｐｈｒの量の銀ナトリウム水素リン酸ジルコニウムである。当業者によく知られているとおり、組成物中の抗菌添加剤の量は、選択された抗菌添加剤及び／又は用いられる他の成分に依存して変化することができ、得られるケーブルタイに細菌及び／又は真菌に対する抗菌特性を提供する。
【００２３】
好適な検出可能金属添加剤には、これらに限定されないが、第一鉄金属粒子、非鉄金属粒子、及びそれらの２つ以上の組合せが含まれる。一実施形態において、検出可能金属添加剤は鉄粒子である。鉄粒子、その他の第一鉄金属粒子及び／又は非鉄粒子は、様々な形状（例えば、球状、フレーク状又はその他の不規則な形状）を有することができる。検出可能金属添加剤の粒子径は、約２５μｍから約１０００μｍの間、好ましくは約５０μｍから約７５０μｍの間、より好ましくは約１００μｍから約５００μｍの間、さらにより好ましくは約１５０μｍから約２００μｍの間の範囲であり得る。検出可能金属添加剤は、約０．１ｐｈｒから約５０ｐｈｒの間、好ましくは約０．２５ｐｈｒから約４０ｐｈｒの間、より好ましくは約０．５ｐｈｒから約３５ｐｈｒの間、さらにより好ましくは約０．７５ｐｈｒから約３０ｐｈｒの間、もっとさらにより好ましくは約１ｐｈｒから約２５ｐｈｒの間、最も好ましくは約１５ｐｈｒから約２５ｐｈｒの間の量である。好ましい実施形態において、金属添加剤は、約２１ｐｈｒの量である。一実施形態において、検出可能金属添加剤は約１５０μｍから約２００μｍの範囲の粒子径を有する鉄粒子である。他の実施形態において、検出可能金属添加剤は約２１ｐｈｒの量の約１５０μｍから約２００μｍの範囲の粒子径を有する鉄粒子である。当業者によく知られているとおり、組成物中の検出可能金属添加剤の量は、その粒子の形状及びサイズに依存して変化することができ、得られるケーブルタイに金属検出能を提供する。
【００２４】
好適なＸ線検出可能添加剤には、これらに限定されないが、１つ以上のヨウ素系塩、１つ以上のバリウム系塩、及びそれらの２つ以上の組合せが含まれる。一実施形態において、Ｘ線検出可能添加剤は硫酸バリウムである。一実施形態において、Ｘ線検出可能添加剤は、約４ｐｈｒから約８ｐｈｒの間の量である。一実施形態において、Ｘ線検出可能添加剤は約４ｐｈｒから約８ｐｈｒの間の量の硫酸バリウム粉末である。一実施形態において、硫酸バリウムは約７ｐｈｒの量である。当業者によく知られているとおり、組成物中のＸ線検出可能添加剤の量は、他の成分に依存して変化することができ、得られるケーブルタイにＸ線検出能を提供する。
【００２５】
好適な抗菌金属バーブ材料には、これに限定されないが、約６２％から約９９．９９％の量の銅をその中に有する銅合金が含まれる（例えば、Ｃ１１０００、Ｃ５１０００、Ｃ７０６００、Ｃ２６０００、Ｃ７５２００、及びＣ２８０００）。一実施形態において、抗菌金属バーブ材料はＣ２８０００銅を含む。当業者によく知られているとおり、抗菌金属バーブ材料の量は、選択された抗菌金属バーブ材料及び／又はケーブルタイに用いられる他の成分に依存して変化することができ、得られるケーブルタイに細菌及び／又は真菌に対する抗菌特性を提供する。
【００２６】
一実施形態において、ケーブルタイは、ベースのプラスチック、抗菌添加剤、並びに場合によって検出可能金属添加剤、Ｘ線検出可能添加剤及びそれらの組合せから選択される検出可能添加剤を有する組成物を含む。一実施形態において、ケーブルタイの組成物は、検出可能金属添加剤、Ｘ線検出可能添加剤及びそれらの組合せから選択される検出可能添加剤を含む。このような一実施形態において、検出可能金属添加剤は鉄粒子であり、Ｘ線検出可能添加剤は硫酸バリウムである。一実施形態において、ケーブルタイはワンピースのケーブルタイ（すなわち金属バーブを有しない）である。一実施形態において、ケーブルタイは金属バーブをさらに含み、それゆえツーピースのケーブルタイである。このような一実施形態において、金属バーブは抗菌金属バーブである。
【００２７】
一実施形態において、ケーブルタイはツーピースのケーブルタイであり、抗菌金属バーブと、ベースのプラスチック、並びに場合によって抗菌添加剤、及び／又は検出可能金属添加剤、Ｘ線検出可能添加剤及びそれらの組合せから選択される検出可能添加剤を有する組成物とを含む。一実施形態において、ケーブルタイはツーピースのケーブルタイであり、抗菌金属バーブと、ベースのプラスチックを有する組成物とを含む。一実施形態において、ケーブルタイの組成物は抗菌添加剤をさらに含む。一実施形態において、ケーブルタイの組成物は、検出可能金属添加剤、Ｘ線検出可能添加剤及びそれらの組合せから選択される検出可能添加剤をさらに含む。このような一実施形態において、検出可能金属添加剤は鉄粒子であり、Ｘ線検出可能添加剤は硫酸バリウムである。一実施形態において、ケーブルタイの組成物は、抗菌添加剤と、検出可能金属添加剤、Ｘ線検出可能添加剤及びそれらの組合せから選択される検出可能添加剤との両方をさらに含む。
【００２８】
一実施形態において、ケーブルタイはベースのプラスチック及び抗菌添加剤を有する組成物を含む。一実施形態において、ベースのプラスチックは、ポリアミド、ポリプロピレン、ポリカーボネート、ポリ（エチレンテトラフルオロエチレン）、ポリエーテルエーテルケトン、ポリ（エチレン及びクロロトリフルオロエチレン）、ポリ塩化ビニル、又はそれらの２つ以上の組合せである。一実施形態において、抗菌添加剤は、銀イオン錯体、銅イオン錯体、ポリクロロフェノキシフェノール誘導体、第四級アンモニウム化合物、亜鉛ピリチオン誘導体、及びそれらの２つ以上の組合せからなる群から選択される。一実施形態において、抗菌添加剤は、約０．０１ｐｈｒから約１５ｐｈｒの間、好ましくは約０．０５ｐｈｒから約１０ｐｈｒの間、より好ましくは約０．１ｐｈｒから約７．５ｐｈｒの間、最も好ましくは約０．２ｐｈｒから約５ｐｈｒの間の量である。いくつかの実施形態において、抗菌添加剤は、約１ｐｈｒ又は約２ｐｈｒ又は約１ｐｈｒから約２ｐｈｒの間の量である。一実施形態において、抗菌添加剤は銀ナトリウム水素リン酸ジルコニウムである。一実施形態において、ケーブルタイの組成物は、検出可能金属添加剤、Ｘ線検出可能添加剤及びそれらの組合せから選択される検出可能添加剤をさらに含む。一実施形態において、ケーブルタイの組成物は検出可能添加剤を含み、検出可能添加剤は検出可能金属添加剤及びＸ線検出可能添加剤の組合せを含む。このような一実施形態において、検出可能金属添加剤は鉄粒子であり、Ｘ線検出可能添加剤は硫酸バリウムである。一実施形態において、ケーブルタイはワンピースのケーブルタイ（すなわち金属バーブを有しない）である。一実施形態において、ケーブルタイは金属バーブをさらに含み、それゆえツーピースのケーブルタイである。このような一実施形態において、金属バーブは抗菌金属バーブである。一実施形態において、抗菌金属バーブは抗菌金属バーブ材料Ｃ２８０００を含む。
【００２９】
一実施形態において、ベースのプラスチックはポリアミド６，６であり、抗菌添加剤は銀ナトリウム水素リン酸ジルコニウムである。このような一実施形態において、ベースのプラスチックは約１００ｐｈｒの量のポリアミド６，６であり、銀ナトリウム水素リン酸ジルコニウムは約１ｐｈｒの量である。一実施形態において、ケーブルタイの組成物は、検出可能金属添加剤、Ｘ線検出可能添加剤及びそれらの組合せから選択される検出可能添加剤をさらに含む。一実施形態において、検出可能金属添加剤は鉄粒子であり、Ｘ線検出可能添加剤は硫酸バリウムである。このような一実施形態において、ベースのプラスチックは約１００ｐｈｒの量のポリアミド６，６であり、銀ナトリウム水素リン酸ジルコニウムは約１ｐｈｒの量であり、鉄粒子は約１５０μｍから約２００μｍの範囲のサイズを有し、約２１ｐｈｒの量であり、硫酸バリウムは約７ｐｈｒの量である。一実施形態において、ケーブルタイはワンピースのケーブルタイである。一実施形態において、ケーブルタイは金属バーブをさらに含み、それゆえツーピースのケーブルタイである。このような一実施形態において、金属バーブは抗菌金属バーブである。一実施形態において、抗菌金属バーブは抗菌金属バーブ材料Ｃ２８０００を含む。
【００３０】
一実施形態において、ケーブルタイは、抗菌金属バーブと、ベースのプラスチックを有する組成物とを含む。一実施形態において、ベースのプラスチックは、ポリアミド、ポリプロピレン、ポリカーボネート、ポリ（エチレンテトラフルオロエチレン）、ポリエーテルエーテルケトン、ポリ（エチレン及びクロロトリフルオロエチレン）、ポリ塩化ビニル、又はそれらの２つ以上の組合せである。一実施形態において、ベースのプラスチックはポリアミド６，６である。一実施形態において、ケーブルタイの組成物は、検出可能金属添加剤、Ｘ線検出可能添加剤及びそれらの組合せから選択される検出可能添加剤をさらに含む。一実施形態において、検出可能金属添加剤は鉄粒子であり、Ｘ線検出可能添加剤は硫酸バリウムである。
【００３１】
一実施形態において、ケーブルタイの組成物は着色剤をさらに含む。当業者は組成物と混和する着色剤をすぐに選択することができる。一実施形態において、着色剤は、約０．１ｐｈｒから約５０ｐｈｒの間、好ましくは約０．２５ｐｈｒから約４０ｐｈｒの間、より好ましくは約０．５ｐｈｒから約３０ｐｈｒの間、さらにより好ましくは約０．７５ｐｈｒから約２０ｐｈｒの間、もっとさらにより好ましくは約１ｐｈｒから約１０ｐｈｒの間、最も好ましくは約１ｐｈｒから約８ｐｈｒの間の量である。
【００３２】
一実施形態において、前述の本発明のケーブルタイのいずれもは、微生物（例えば細菌及び／又は真菌）の成長を阻害するために、殺菌剤で処理される。例えば殺菌剤を、１回、毎日、一日おき、又は微生物の成長を阻害する必要があると考えられるだけ適用することができる。一実施形態において、本出願のケーブルタイは、例えば一日おきに、約０．１％の次亜塩素酸ナトリウム（ＮａＣｌＯ）水溶液（洗浄剤として病院環境で広く使用される）で殺菌される。当業者によく知られているとおり、プラスチックのケーブルタイの洗浄に適合する殺菌手順を用いて、細菌及び／又は真菌の成長を最小化することができる。
【００３３】
一般的に、（ａ）ベースのプラスチック、抗菌添加剤、並びに場合によって検出可能金属添加剤、Ｘ線検出可能添加剤及びそれらの組合せから選択される検出可能添加剤を含む成分を混合して混合物を形成する工程；（ｂ）ベースのプラスチックの融点より約１から約３０℃高い温度で混合物を溶融して、溶融材料を形成する工程；及び（ｃ）溶融材料からケーブルタイを成形する工程を含む、ケーブルタイを調製する方法が提供される。このような組成物を形成する技術は、当業者によく知られている。同様に、ケーブルタイ製品の成形加工技術は、当業者によく知られている。
【００３４】
より具体的には、本発明は、機械的に成分（ベースのプラスチック、抗菌添加剤、並びに場合によって検出可能金属添加剤、Ｘ線検出可能添加剤及びそれらの組合せから選択される検出可能添加剤を含む）を混合する工程、その後にベースのプラスチックの融点より約１から約３０℃高い温度に制御した温度での、さらに加圧して機械的に撹拌して溶融混合物を形成する加熱溶融加工工程を含むケーブルタイを調製する方法を提供する。溶融材料は二軸押出機に圧縮して流入され、これにより連続的なロッドを形成し、これは続けて原材料としての小さなペレットに切断される。その後材料は一軸の標準的な射出成形機中で再溶融し、続けて鋼の型に圧縮して流入し、これによりケーブルタイの形状を形成する。成形した材料は冷却されて、抗菌特性を示すケーブルタイが得られる。
【００３５】
本発明はいかなる理論に限定されることを意味しないが、ケーブルタイを成形する組成物に抗菌添加剤を組み込むこと、及び／又は抗菌金属バーブを含めることにより、抗菌特性が提供されると考えられる。特に、このようなケーブルタイは、細菌及び／又は真菌により引き起こされる表面の染み及び臭気を低減すると考えられる。さらに、このようなケーブルタイは、ケーブルタイが食品、食品成分、又は個人に接触又は曝露した場合、微生物（例えば、細菌及び／又は真菌）の汚染の可能性を低減すると考えられる。
【００３６】
当業者によく知られているとおり、ケーブルタイの金属検出能は、金属検出器を使用して試験することができる。一実施形態において、金属検出装置は、０．１７０ｃｍ／鉄球の設定で、本発明のケーブルタイを検出することができる。
【００３７】
当業者によく知られているとおり、ケーブルタイのＸ線検出能は、Ｘ線検出器を使用して試験することができる。一実施形態において、Ｘ線検出装置（例えば、Ｓｍｉｔｈ−ＨｅｉｍａｎｎからのＥａｇｌｅ  ＦＡ検出器）は、本発明のケーブルタイを検出することができる。
【００３８】
当業者によく知られているとおり、本発明のケーブルタイの抗菌特性は、同様に処理された従来のケーブルタイ（すなわち、抗菌添加剤を欠く）と比較して、微生物の成長の助けとなる条件下で培養した後に、代表的な微生物の成長を測定することによって確認することができる。一実施形態において、本発明のケーブルタイは、以下の代表的な細菌に対するＪＩＳ  Ｚ２８０１又はｉｓｏ２２１９６試験標準のどちらかの抗菌試験に供される。望ましくは、本発明のケーブルタイは、大腸菌（Ｅｓｃｈｅｒｉｃｈｉａ  ｃｏｌｉ）の＞９９．９％の低減及び黄色ブドウ球菌（Ｓｔａｐｈｙｌｏｃｏｃｃｕｓ  ａｕｒｅｕｓ）の＞９９％の低減を示す。別の実施形態において、本発明のケーブルタイは前述の抗菌活性を示し、加速エージング条件下で好ましいエージングをさらに示す。例えば、ポリアミド６，６に基づく抗菌ケーブルタイの加速エージング条件は、５４日間の６０℃及び５０％相対湿度であり、これは通常の雰囲気下での通常の適用の２年と等価である。さらに、抗菌活性及び加速エージング条件は、一日おきの約０．１％の次亜塩素酸ナトリウム（ＮａＣｌＯ）水溶液での処理を含むことができ、この処理は洗浄剤として病院環境で広く使用されている。
【００３９】
数値データは、本明細書において範囲の形式で表される。このような範囲の形式は便宜上及び簡潔のために使用しているだけであり、範囲の限界値として明示的に記載されている数値だけでなく、それぞれの数値及びサブ範囲が明示的に記載されているかのように、全ての個々の数値又は範囲に含まれるサブ範囲をも含むとして柔軟に解釈されるべきである。
【００４０】
本明細書で参照する全ての文書、特許及びその他の文献は、それらの全体が参照により援用される。
【００４１】
特許請求の範囲で使用され得る用語「含む」は、特許請求の範囲に具体的に記載されていないさらなる要素を含むことを意図する、オープンエンドの移行用語である。特許請求の範囲で使用され得る用語「から本質的になる」は、部分的に閉じた移行句であり、記載された要素に加えて、特許請求の範囲の基本的かつ新規な特徴に実質的に影響しない不特定のいずれかの要素を含むことを意図する。例えば、ケーブルタイは、具体的に記載されていなくても、エンボス加工されてもよく、又は印が印刷されてもよく、「から本質的になる」の意味に含まれる。特許請求の範囲で使用され得る用語「からなる」は、特許請求の範囲が記載された要素に限定されることを示すことを意図する。
【００４２】
この文書で積極的に特定されるあらゆる特徴、要素、又は限定は、本発明の実施形態の特徴、要素、又は限定として具体的に除外されてもよいことが想定されることに注意すべきである。
【００４３】
当業者によって、広い発明の概念から離れることなく上で記載した実施形態を変化させられることが理解される。したがって、本発明は開示された特定の実施形態に限定されず、添付する特許請求の範囲によって規定される発明の意図及び範囲内である変更にも及ぶことを意図することが理解される。
【図１】
2016088625.tif 000003